(57)【特許請求の範囲】
【請求項１】
ブラウン管に高電圧を供給するための高圧コイルを巻回する高圧コイルボビンと、フライバックパルスを発生するための低圧コイルを巻回する低圧コイルボビンを一体にした一体型コイルボビンを備え、
そのコイルボビンに、前記低圧コイルを接続する低圧コイル接続端子を保持する端子保持台座と、その端子保持台座を保持する低圧用端子保持支柱と、前記高圧コイルを接続する高圧コイル接続端子を保持する高圧用端子保持支柱とを設けたフライバックトランスにおいて、  前記高圧用端子保持支柱が設けられている側に配置される前記端子保持台座は、前記低圧用端子保持支柱で保持しないで、連結部により互いに連結支持したことを特徴とするフライバックトランス。
【請求項２】
ブラウン管に高電圧を供給するための高圧コイルを巻回する高圧コイルボビンと、フライバックパルスを発生するための低圧コイルを巻回する低圧コイルボビンを一体にした一体型コイルボビンを備え、
そのコイルボビンに複数のコイルボビン鍔を設け、そのコイルボビン鍔の間に前記低圧コイルボビンを巻回し、前記コイルボビン鍔の外周に絶縁フィルムを介して前記高圧コイルを巻回したフライバックトランスにおいて、
前記高圧コイルを引き出す側の端にある前記コイルボビン鍔に、高圧コイルの引き出し方向にほぼ沿って延びる突出部を設けたことを特徴とするフライバックトランス。
【発明の詳細な説明】
【０００１】
【発明の属する技術分野】
本発明は、テレビジョン受信機やカラーディスプレイのブラウン管に高電圧を供給するフライバックトランスに係り、特にブラウン管に給電する高圧コイルを巻回する高圧コイルボビンとフライバックパルスを発生する低圧コイルを巻回する低圧コイルボビンを一体にした一体型コイルボビンの構造に関する。
【０００２】
【従来の技術】
図５は、従来の一体型コイルボビンの断面図、図６はそのコイルボビンの底面図である。図５に示すようにコイルボビン１０に形成されたコイルボビン鍔４の間に低圧コイル９を巻回し、その低圧コイル９の端部９ａを図６に示すように馬蹄形に配置した低圧コイル接続端子５に接続している。
【０００３】
コイルボビン鍔４に絶縁フィルム８を層状に巻回して、その層間に高電圧を供給する高圧コイル７を巻回し、高圧コイル７の端部７ａを高圧コイル接続端子１２に接続している。
【０００４】
コイルボビン１０の金型構造は底面側方向の抜き型であり、図６に示すように高圧コイル接続端子１２を保持する高圧用端子保持支柱６と低圧コイル接続端子５を保持する低圧用端子保持支柱１１が互いに干渉しないように、櫛型で複雑な構造になっている。図中の符号１はコア、１３は端子保持台座ある。
【０００５】
【発明が解決しようとする課題】
図５において、低圧コイル９と高圧コイル７の沿面距離は、低圧コイル９の引き出し部から１層目の絶縁フィルム８の端部との間の距離Ａであり、構造上耐圧に十分な沿面距離を確保することは難しく、沿面距離を確保するには壁を設けるなどの必要があり、そのためにコイルボビン１０の構造が複雑になり、フライバックトランスが大型化する傾向にある。
【０００６】
また図６において、コイルボビン１０の金型構造は底面側方向の抜き型であり、高圧用端子保持支柱６と低圧用端子保持支柱１１が干渉しないようにするため、櫛型で複雑な構造になる。そのため金型寿命が短く、かつ成形したコイルボビン１０の金型合わせ箇所にバリが発生し易く、高圧コイル７及び低圧コイル９に傷をつける原因となり、製品の信頼性に問題がある。
【０００７】
本発明の第１の目的は、このような従来技術の欠点を解消し、コイルボビンの構造が簡単で、長寿命の金型構造にすることができる、安価で信頼性の高いフライバックトランスを提供することにある。
【０００８】
本発明の第２の目的は、このような従来技術の欠点を解消し、高圧・低圧コイル間の沿面距離を容易に確保できる、信頼性の高いフライバックトランスを提供することにある。
【０００９】
【課題を解決するための手段】
前記第１の目的を達成するため、第１の本発明は、ブラウン管に高電圧を供給するための高圧コイルを巻回する高圧コイルボビンと、フライバックパルスを発生するための低圧コイルを巻回する低圧コイルボビンを一体にした一体型コイルボビンを備え、そのコイルボビンに、前記低圧コイルを接続する低圧コイル接続端子を保持する端子保持台座と、その端子保持台座を保持する低圧用端子保持支柱と、前記高圧コイルを接続する高圧コイル接続端子を保持する高圧用端子保持支柱とを設けたフライバックトランスを対象とするものである。
【００１０】
そして前記高圧用端子保持支柱が設けられている側に配置される前記端子保持台座は、前記低圧用端子保持支柱で保持しないで、連結部により互いに連結支持したことを特徴とする。
【００１１】
前記第２の目的を達成するため、第２の本発明は、ブラウン管に高電圧を供給するための高圧コイルを巻回する高圧コイルボビンと、フライバックパルスを発生するための低圧コイルを巻回する低圧コイルボビンを一体にした一体型コイルボビンを備え、そのコイルボビンに複数のコイルボビン鍔を設け、そのコイルボビン鍔の間に前記低圧コイルボビンを巻回し、前記コイルボビン鍔の外周に絶縁フィルムを介して前記高圧コイルを巻回したフライバックトランスを対象とするものである。
【００１２】
そして前記高圧コイルを引き出す側の端にある前記コイルボビン鍔に、高圧コイルの引き出し方向にほぼ沿って延びる突出部を設けたことを特徴とする。
【００１３】
【発明の実施の形態】
次に本発明の実施形態を図とともに説明する。図１は第１実施形態に係るコイルボビンの底面図、図２は図１Ｘ−Ｘ線上の断面図である。
【００１４】
一体型コイルボビン２は、ブラウン管に高電圧を供給する高圧コイル７を巻回する高圧コイルボビンとフライバックパルスを発生する低圧コイル９を巻回する低圧コイルボビンを一体化したものである。
【００１５】
このコイルボビン２の穴部にコア１が挿入され、図１に示すように複数のピン状の低圧コイル接続端子５を馬蹄形状に配置している。
【００１６】
図２に示すようにコイルボビン２に設けた複数のコイルボビン鍔４の間に低圧コイル９を巻回し、その低圧コイル９の端部９ａを低圧コイル接続端子５に接続している。コイルボビン鍔４に絶縁フィルム８を層状に巻回して、その層間に高圧コイル７を巻回し、高圧コイル７の端部７ａをピン状の高圧コイル接続端子１２に接続している。またこの高圧コイル接続端子１２にはコンデンサー１５が接続されている。
【００１７】
コイルボビン２の金型構造は底面側方向（紙面に向けて垂直方向）の抜き型であり、そため高圧用端子保持支柱６と低圧用端子保持支柱１１が干渉しないように、低圧用端子保持支柱１１の一部または全部を無くした構造にしている。
【００１８】
すなわち本実施形態では、高圧用端子保持支柱６が設けられている側の図１に向かって右側部分の端子保持台座１３は、低圧用端子保持支柱１１を設けないで、その代わりに連結部３で端子保持台座１３を互いに連結している。高圧用端子保持支柱６が設けられていない側の図１に向かって左側部分の端子保持台座１３は、高圧用端子保持支柱６と干渉することが無いから、個々に低圧用端子保持支柱１１で支持されている。
【００１９】
従って従来のように櫛型のような複雑な形状にする必要がなく、そのため金型構造が簡単になり、金型寿命が長くなる。また高圧コイル７と低圧コイル９を巻回する部分の金型合わせ箇所が少なくなり、簡易な金型構造であるため、バリの発生がほとんどなく、高圧コイル７および低圧コイル９に傷をつけることがなくなる。
【００２０】
また、コイルボビン鍔４のうち高圧コイル７の端部７ａが引き出される側の端のコイルボビン鍔４ａの一部または全体にわたって、端部７ａの引き出し方向にほぼ沿った突出部１４が設けられている。
【００２１】
すなわち本実施形態では、端部７ａが引き出される側の端のコイルボビン鍔４ａであって、高圧用端子保持支柱６が設けられている側の図１に向かって右側部分には、コイルボビン鍔４ａの上端から庇状に突出した突出部１４が設けられている。
【００２２】
このように高圧コイル７の端部７ａの引き出し方向にほぼ沿った突出部１４を設けることにより、低圧コイル９と高圧コイル７の沿面距離を、低圧コイル９の引き出し部から１枚目の絶縁フィルム８の端部との距離Ｂとすることができ、従来よりも沿面距離を約２倍伸ばすことができる。
【００２３】
１層目の高圧コイル７と低圧コイル９の間の電位差は約６ｋＶｐｐで、従来のコイルボビンの形状では高圧コイル７と低圧コイル９の間の沿面距離Ａは約６ｍｍで、沿面耐圧が全く余裕の無い形状であった。これに対して本実施形態では、沿面距離Ｂは約１２ｍｍ確保でき、フライバックの形状を大きくすることなく、十分な沿面距離が確保できる。
【００２４】
図３は第２実施形態に係るコイルボビンの底面図、図４はそのコイルボビンの断面図である。本実施形態では図３に示すように、高圧用端子保持支柱６が設けられている側の端子保持台座１３を連結部３で互いにアーチ状に接続している。また高圧コイル７の端部７ａが引き出される側の端のコイルボビン鍔４ａであって、高圧用端子保持支柱６が設けられている側のコイルボビン鍔４ａの上端から庇状に突出した突出部１４がアーチ状に設けられている。
【００２５】
【発明の効果】
請求項１記載の第１の本発明は、高圧用端子保持支柱が設けられている側に配置される端子保持台座は、低圧用端子保持支柱で保持しないで、連結部により互いに連結支持したことを特徴とするものである。
【００２６】
そのため従来の櫛型のような複雑な形状にする必要がなく、金型構造が簡単になり、金型寿命が長くなる。また高圧コイルと低圧コイルを巻回する部分の金型合わせ箇所が少なくなり、簡易な金型構造であるため、バリの発生がほとんどなく、高圧コイルおよび低圧コイルに傷をつけることがなく、安価で信頼性の高いフライバックトランスを提供することができる。
【００２７】
請求項２記載の第２の本発明は、高圧コイルを引き出す側の端にあるコイルボビン鍔に、高圧コイルの引き出し方向にほぼ沿って延びる突出部を設けたことを特徴とするものである。
【００２８】
そのため低圧コイルと高圧コイルの沿面距離を十分とることができ、信頼性の高いフライバックトランスの提供が可能である。
【図面の簡単な説明】
【図１】本発明の第１実施形態に係るフライバックトランス用コイルボビンの底面図である。
【図２】図１Ｘ−Ｘ線上の断面図である。
【図３】本発明の第２実施形態に係るフライバックトランス用コイルボビンの底面図である。
【図４】そのフライバックトランス用コイルボビンの断面図である。
【図５】従来のフライバックトランス用コイルボビンの断面図である。
【図６】そのフライバックトランス用コイルボビンの底面図である。
【符号の説明】
１  コア
２  コイルボビン
３  連結部
４  コイルボビン鍔
４ａ  高圧コイルが引き出される側の端のコイルボビン鍔
５  低圧コイル接続端子
６  高圧用端子保持支柱
７  高圧コイル
７ａ  高圧コイルの端部
８  絶縁フィルム
９  低圧コイル
９ａ  低圧コイルの端部
１１  低圧用端子保持支柱
１２  高圧コイル接続端子
１３  端子保持台座
１４  突出部
１５  コンデンサー
【図１】
0003735548.tif 000002
【図２】
0003735548.tif 000003
【図３】
0003735548.tif 000004
【図４】
0003735548.tif 000005
【図５】
0003735548.tif 000006
【図６】
0003735548.tif 000007